(57)【要約】      （修正有）【課題】洗濯機を移動したり取り除いたりすることなく、排水トラップのメンテナンスを確実に行え、洗濯機排水ホースを洗濯機用防水パン内外へ導出入させる際に、洗濯機排水ホースの折れ曲がりや、潰れを無くし、排水作業を良好に行うことができる洗濯機用防水パンを提供する。【解決手段】洗濯機脚部を載置する台座部１４が四隅に形成され、周縁に立ち上がる防水壁１６が形成された防水パン本体１２と、洗濯機排水ホースを接続するホースジョイント２２を介して排水管に連結される排水トラップ本体２０とを備えた洗濯機用防水パン１０であって、各台座部１４同士のそれぞれの対向面２４の両側端部に、台座部１４の上端から下端に渡る窪み部２６が形成され、防水壁１６の各隅頂点位置から窪み部２６が形成されている位置を所定の長さ超える位置までの防水壁１６の厚さが、他の位置における防水壁１６の厚さよりも薄く形成させた。【選択図】図１
2013104186.tif 000002
【特許請求の範囲】
【請求項１】
床面の排水口に嵌合されることで床面に固定され、洗濯機脚部を載置する台座部が四隅にそれぞれ形成されるとともに、周縁に沿って立ち上がる防水壁が形成された防水パン本体と、洗濯機排水ホースを接続するホースジョイントを介して床面下に配設される排水管に連結されることでトラップ機能を果たす排水トラップ本体とを備えた洗濯機用防水パンであって、
前記各台座部それぞれの対向面には、各両側端から所定の範囲にかけて、当該台座部が形成されている前記洗濯機用防水パンの隅方向に向けて上端から下端に渡る窪み形状を呈した窪み部が形成されており、
前記防水壁の前記洗濯機用防水パンの各隅頂点位置から前記台座部が形成されている範囲を所定の長さ超える位置までの厚さが、他の位置における前記防水壁の厚さよりも薄く形成されていること
を特徴とする洗濯機用防水パン。
【請求項２】
前記各台座部の対向面は、下端から上端にかけ、前記各台座部が形成されている前記洗濯機用防水パンの隅方向に向けて傾斜してなることを特徴とする請求項１記載の洗濯機用防水パン。
【請求項３】
前記台座部は、載置する洗濯機脚部のズレを防止するための、格子状の凸条が上面に形成されていることを特徴とする請求項１又は２記載の洗濯機用防水パン。
【発明の詳細な説明】
【技術分野】
【０００１】
本発明は、洗濯機などの排水ホースを接続連結する排水用の洗濯機用防水パン、詳しくは、排水ホースを接続連結させるために洗濯機用防水パン内外へ導出入させる際の排水ホースの潰れを防止することが可能な洗濯機用防水パンに関するものである。
【背景技術】
【０００２】
従来から、洗濯機用防水パンは、床面の排水口に取り付けられる排水トラップが設けられ、ホースジョイントを介して洗濯機の排水ホースと接続され、排水ホースから流出する廃水（汚水）を床下に配設した排水管に流し込むために用いられており、廃水は、ホースジョイントから排水トラップ内に流れ込み、排水管側へ送られ、封水カップと封水筒との封水構造によってトラップを形成して、通常の排水管に洗濯機の廃水を流す場合でも、防水と臭気の逆流を防止することができるようになっている。
【０００３】
しかし、従来の洗濯機用防水パンでは、洗濯機を載置した時の状態では、防水パンに取り付けられた排水トラップは、洗濯機が邪魔になり掃除が困難であったり、洗濯機用防水パン周囲の縁の高いものは、洗濯機用防水パン自体の掃除がやりにくく、また、防水パンの底面の廃水勾配は、排水トラップ付近に向けて設けられていても排水トラップ付近に溜まったゴミ類は、手が届きにくい所にあって、掃除がしにくく、さらに、排水トラップ付近に糸くずやゴミが詰まって、防水パンに水が溜まってしまい、オーバーフローしてしまう可能性がある。
【０００４】
特に、ドラム式の洗濯機であると、洗濯機自体の重量が重く、さらに、大きさも大きいため、一人では洗濯機を動かせず、排水トラップのメンテナンスが出来ないという問題がある。また、住宅の洗濯機設置スペースの縮小化に伴って、６４０×６４０ｍｍの最小スペースの防水パンが普及してきているため、さらに排水トラップのメンテナンス作業が難しくなってきている。
【０００５】
上記のような問題を解決するために、例えば特許文献１には、床面の排水口に嵌合されて床面に固定され、洗濯機脚部を載置する台座部のある防水パンと、洗濯機排水ホースを接続するホースジョイントを介して床面下に配設される排水管に連結されてトラップ機能をはたすトラップ形成体のある排水トラップ本体とを備えた洗濯機用防水パンにおいて、防水パン上に載置した洗濯機下でトラップ形成体を上方に引き抜き横倒し状態にできる隙間を形成する高さを有する台座部を側壁のある防水パンの四隅に立設すると共に、該台座部間にトラップ形成体を横倒し状態で防水パンに出入れできる円弧状の開口窪みを設け、前記台座部が、開口窪みを設けた内側面を大きなＲを持った湾曲面のコーナーに形成したことを特徴とする洗濯機用防水パンが開示されている。
【０００６】
上記技術によると、防水パンの点検時に重量の重たい洗濯機を移動したり取り除いたりすることなく、排水トラップのメンテナンスを確実に行え、取扱の簡易化を図ることができ、特に、洗濯機ホースの導出も台座部の湾曲面のコーナーに沿って行われるため、洗濯機ホースの折れ曲がりや、潰れもなく、排水作業が良好に行われるとされている。
【先行技術文献】
【特許文献】
【０００７】
【特許文献１】特開２００８−８８６３０
【発明の概要】
【発明が解決しようとする課題】
【０００８】
しかしながら、上記特許文献１に開示されている洗濯機用防水パンの構造では、石油資源の節約のための軽量化や、洗濯機用防水パン自体の製造コストを抑えることは難しく、こういった面で、さらなる改良の余地があった。本発明は、上述の課題に鑑みなされたもので、防水パンの点検時に重量の重たい洗濯機を移動したり取り除いたりすることなく、排水トラップのメンテナンスを確実に行え、取扱の簡易化を図ることができ、特に、洗濯機排水ホースを洗濯機用防水パン内外へ導出入させる際に、洗濯機排水ホースの折れ曲がりや、潰れを無くし、排水作業を良好に行うことができ、さらに、軽量化や製造コストを抑えることが可能な洗濯機用防水パンを提供することにある。
【課題を解決するための手段】
【０００９】
上記目的を達成するため、本発明は、以下の技術的手段を講じている。
即ち、請求項１記載の発明は、床面の排水口に嵌合されることで床面に固定され、洗濯機脚部を載置する台座部が四隅にそれぞれ形成されるとともに、周縁に沿って立ち上がる防水壁が形成された防水パン本体と、洗濯機排水ホースを接続するホースジョイントを介して床面下に配設される排水管に連結されることでトラップ機能を果たす排水トラップ本体とを備えた洗濯機用防水パンであって、前記各台座部それぞれの対向面には、各両側端から所定の範囲にかけて、当該台座部が形成されている前記洗濯機用防水パンの隅方向に向けて上端から下端に渡る窪み形状を呈した窪み部が形成されており、前記防水壁の前記洗濯機用防水パンの各隅頂点位置から前記台座部が形成されている範囲を所定の長さ超える位置までの厚さが、他の位置における前記防水壁の厚さよりも薄く形成されていることを特徴とする洗濯機用防水パンである。
【００１０】
また、請求項２記載の発明は、請求項１記載の洗濯機用防水パンであって、前記各台座部の対向面は、下端から上端にかけ、前記各台座部が形成されている前記洗濯機用防水パンの隅方向に向けて傾斜してなることを特徴としている。さらに、請求項３記載の発明は、請求項１又は２記載の洗濯機用防水パンであって、前記台座部は、載置する洗濯機脚部のズレを防止するための、格子状の凸条が上面に形成されていることを特徴としている。
【発明の効果】
【００１１】
請求項１記載の洗濯機用防水パンによると、床面の排水口に嵌合されることで床面に固定され、洗濯機脚部を載置する台座部が四隅にそれぞれ形成されるとともに、周縁に沿って立ち上がる防水壁が形成された防水パン本体と、洗濯機排水ホースを接続するホースジョイントを介して床面下に配設される排水管に連結されることでトラップ機能を果たす排水トラップ本体とを備えた洗濯機用防水パンであって、前記各台座部それぞれの対向面には、各両側端から所定の範囲にかけて、当該台座部が形成されている前記洗濯機用防水パンの隅方向に向けて上端から下端に渡る窪み形状を呈した窪み部が形成されており、前記防水壁の前記洗濯機用防水パンの各隅頂点位置から前記台座部が形成されている範囲を所定の長さ超える位置までの厚さが、他の位置における前記防水壁の厚さよりも薄く形成されていること特徴としているため、窪み形状及び他の防水壁よりも薄く形成されている防水壁を通じて、排水ホースを洗濯機用防水パン内外へ導出入することができるため、大型の洗濯機を載置させている場合でも排水ホースの折れ曲がりや、潰れを防止することが可能となる。
【００１２】
また、防水壁に特殊な形状を必要とせずに、排水ホースをスムースに導出させることができるため、洗濯機用防水パン自体の軽量化や製造コストを抑えることが可能となる。またさらに、排水ホースの導出入に必要な範囲における防水壁の厚さのみを他の防水壁の厚さよりも薄くしているため、洗濯機用防水パンの強度も保て、重量のある洗濯機を載置させても割れ等の発生を無くすことが可能である。
【００１３】
そして、請求項２記載の洗濯機用防水パンによると、請求項１記載の洗濯機用防水パンであって、前記各台座部の対向面は、下端から上端にかけ、前記各台座部が形成されている前記洗濯機用防水パンの隅方向に向けて傾斜してなることを特徴としているため、排水ホースを窪み部を通じて、よりスムースに導出入することができ、また、導出入による排水ホースの折れ曲がりや、潰れをより防止することが可能となる。さらに、請求項３記載の洗濯機用防水パンによると、請求項１又は２記載の洗濯機用防水パンであって、前記台座部は、載置する洗濯機脚部のズレを防止するための、格子状の凸条が上面に形成されていることを特徴としているため、洗濯機の安定した運転を担保することが可能となる。
【図面の簡単な説明】
【００１４】
【図１】本発明に係る洗濯機用防水パンの実施形態を示した図で、（ａ）は正面図、（ｂ）は側面図、（ｃ）は排水トラップを備えた状態のＡ−Ａ断面図、（ｄ）は斜視図である。
【図２】本発明に係る洗濯機用防水パンの実施形態のうち、防水パン本体の台座部近辺の平面図である。
【図３】本発明に係る洗濯機用防水パンの実施形態において、排水ホースが導出入されている状態を表したもので、（ａ）は、台座部近辺の正面概略図、（ｂ）は縦断面概略図である。
【図４】本発明に係る洗濯機用防水パンの実施形態において用いられる排水トラップ本体を示し、（ａ）は縦断面図、（ｂ）は一部の拡大詳細断面図、（ｃ）は平面図、（ｄ）は側面図である。
【発明を実施するための形態】
【００１５】
以下、本発明の実施形態について、図面を参照して説明する。
図１は、本発明に係る洗濯機用防水パンの実施形態を示した図で、（ａ）は正面図、（ｂ）は側面図、（ｃ）は排水トラップを備えた状態のＡ−Ａ断面図、（ｄ）は斜視図である。また、本発明に係る洗濯機用防水パンの実施形態において用いられる排水トラップ本体を示し、（ａ）は縦断面図、（ｂ）は一部の拡大詳細断面図、（ｃ）は平面図、（ｄ）は側面図である。
【００１６】
そして、１０は洗濯機用防水パン、１２は防水パン本体、１４は台座部、１６は防水壁、１８は排水口、２０は排水トラップ本体、２２はホースジョイント、２４は各台座部の対向面、２６は窪み部、２８は目皿、３０は目皿受、３２は結束バンド、３４はホース固定係止部、３６は封水カップ、３８は封水筒、４０は案内筒、４２は嵌合取付口、４４は接続部、４６はシール部材、４８は翼片、５０は流水スリット、５２は外環板、５４はネジ部を表している。
【００１７】
本実施形態における洗濯機用防水パン１０は、図１及び４に示すように、防水パン本体１２の排水口１８に排水トラップ本体２０が装着され、床面ａ上に固定させることにより用いるものであり、まず、防水パン本体１２の４隅においてそれぞれ形成された洗濯機の脚部を載置させるための台座部１４と、防水パン本体１２から溢れる汚水を外部へと漏らさないための周縁に沿って立ち上がる防水壁１６と、排水トラップ本体２０を装着する排水口１８からなる防水パン本体１２が設けられている。
【００１８】
さらに、洗濯機用防水パン１０には、洗濯機排水ホースｂを接続するホースジョイント２２を介して床面ａ下に配設される排水管ｃに連結されることでトラップ機能を果たす排水トラップ本体２０が設けられている。そして、洗濯機の脚部を載置させるための台座部１４の各台座部同士それぞれの対向面２４は、防水壁１６側の各両側端から所定の範囲にかけて、各台座部１４が形成されている洗濯機用防水パン１０の隅方向に向けて、上端から下端に渡って窪み形状を呈する窪み部２６がそれぞれ形成されている。
【００１９】
また、図２及び３に一例として示すように、窪み部２６は、洗濯機排水ホースｂが洗濯機用防水パン本体１２の内外への通り抜けが可能な空間が生じる程度に窪み形状を呈した窪み部２６が設けられているため、通り抜けさせる洗濯機排水ホースｂの折れ曲がりや、潰れを無くすことができるという利点がある。本実施形態では、窪み部２６は、各台座部の対向面２４とともに、その下端から上端にかけ、台座部１４が形成されている洗濯機用防水パン１０の隅方向に向けて傾斜しているため、より一層効果が生じる。
【００２０】
そして、防水壁１６のうち、洗濯機用防水パン本体１２の各隅頂点から台座部１４が形成されている範囲を所定の長さ超える位置までの厚さが、他の防水壁１６の厚さよりも薄く形成されているため、窪み部２６の効果と相乗して、洗濯機排水ホースｂの洗濯機用防水パン本体１２の内部から外部へと通り抜けを容易にし、洗濯機排水ホースｂの折れ曲がりや、潰れを防止することが可能となっているわけである。
【００２１】
また、台座部１４の上面に、載置される洗濯機の脚部のズレを防止するための凸条を形成させておくと、洗濯機の安定した運転を担保することが可能となるため、非常に好ましい。
【００２２】
本実施形態における洗濯機用防水パン１０では、図４に一例として示すように、洗濯機用防水パン本体１２に装着する排水トラップ本体２０には、目皿受３０を介して、排水孔のある目皿２８が備えられ、この目皿２８にホースジョイント２２を設けて、洗濯機排水ホースｂが接続されるという構成となっている。
【００２３】
また、ホースジョイント２２には、洗濯機排水ホースｂをナイロンバンド等の結束バンド３２によってバンド掛け止めできるホース固定係止部３４が設けられており、洗濯機排水ホースｂが躍ったり、外れたりすることがないような構成となっている。
【００２４】
そして、排水トラップ本体２０には、トラップ機能を果たす封水カップ３６と、封水カップ３６に流水用の間隔をあけて嵌挿され、下端開口部で連通する封水筒３８と、さらに、封水筒３８に流水用の間隔をあけて嵌挿され、封水カップ３６に載置される案内筒４０とからなるトラップ形成体が挿脱自在に備えられており、さらに、トラップ形成体に洗濯機排水ホースｂが接続されるホースジョイント２２のある目皿２８を介して目皿受３０が着脱自在にねじ込み、あるいは、嵌合されている。
【００２５】
また、洗濯機用防水パン１０は、床面ａ上に固着するための縁部の適宜の複数箇所に床面取付孔（図示せず）が設けられており、また、底面中央の一側部に片寄せた位置に排水トラップ本体２０の嵌合取付口４２が略正方形、長方形あるいは、円形の形態に形成されている。
【００２６】
そして、排水トラップ本体２０は、排水管ｃを連結することができる配水管の接続部４４が一体形成されており、さらに、パッキンのシール部材４６を介して、洗濯機用防水パン本体１２の嵌合取付口４２に嵌着固定させる構成となっている。
【００２７】
また、排水トラップ本体２０や、トラップ形成体の封水カップ３６、封水筒３８、案内筒４０等は、目視可能な無色透明或いは、黄色、赤色、青色等の顔料によって着色した有色透明又は半透明の合成樹脂（例えば、ＡＢＳ樹脂、ＰＰ樹脂）等によって内部を透視できる構成とすることがメンテナンス上好ましい。
【００２８】
続いて、封水カップ３６には、目皿受３０に挿脱自在に嵌挿される有底筒体であって、底面に流水用の隙間を形成できる翼片４８を所定間隔をあけて立設し、且つ、筒体上部周側面にオーバーフロー孔となる流水スリット５０を周方向に間隔をおいて複数設けられている。
【００２９】
また、封水カップ３６内に流水用の間隔をあけて嵌挿される封水筒３８も封水カップ３６に嵌挿されるテーパー筒部を有しており、且つ、目皿受３０に嵌合されるフランジを有する中空筒体で、この中空筒体の下端開口部に案内筒４０の外周に突設した消泡用リブが挿入される構成となっている。
【００３０】
さらに、案内筒４０は、両端開口でホースジョイント２２に接続される側の内周面にホースジョイント係止部の段差部分が形成された中空体となっており、この中空体の下端開口の筒体下端外周に外環板５２が突設され、この外環板５２に所定間隔をあけて筒体外周に消泡用リブの翼片４８を設けるとともに、封水カップ３６の内底面に立設される翼片上に載置させることで、封水筒３８との間に流水用の隙間をあける構成とすることがより好ましい。
【００３１】
またさらに、排水トラップ本体２０と目皿受３０との間に、また、封水カップ３６と封水筒３８のフランジとの間に、リング状のスリップパッキン及び平パッキンのシール部材４６を介在させて、目皿受３０を排水トラップ本体２０に、さらに、目皿２８を目皿受３０に嵌着させることによって、排水トラップ本体２０の漏水防止を図ることができるようになる。
【００３２】
次に、排水トラップ本体２０は、各部材が耐衝撃性、耐腐食性及び耐熱性等に優れたＡＢＳ樹脂等で形成され、排水口を覆い、洗濯機用防水パン本体１２に固着され、目皿２８は、ネジによって固着できる複数の取付孔が周方向に間隔をおいて穿設されている。また、目皿２８を嵌合保持する目皿受３０には、外周にネジ部５４が備えられており、排水トラップ本体２０のネジ部に着脱自在に螺合され保持できるようになっている。
【００３３】
さらに、ホースジョイント２２は、エラストマー等の軟性樹脂からなるエルボを用い、このホースジョイント２２を目皿２８或いはパッキンホルダーで排水トラップ本体２０に締め付ける形態とすることもできる。また、ホースジョイント２２に接続される案内筒４０に相対するフランジ部が押しつけられるような構成としても、水密を保った状態で強固に接続させることが可能となる。
【００３４】
なお、封水筒３８は、軽量性、耐熱性に優れたＡＢＳ、ＰＰ樹脂等を用い、上部をカップ状の円錐筒形に成形され、その内面上部に補強リブが設けられている。また、中央部に案内筒４０が備えられ、そして、封水カップ３６の内周に嵌装保持させた状態で用いられる。このような構成となっているため、排水の流れに溜まりや、衝突を無くし、より良い排水の流れをもたらすことが可能となる。
【００３５】
排水トラップ本体２０は、トラップ形成体を構成するために、封水カップ３６の貯留水中に浸かる筒状の封水筒３８によるトラップ機構を備えているが、ホースジョイント２２を経て案内筒４０に入った汚水は、案内筒４０の周方向ほぼ全周に渡って広く開いた開放型の下端開口から、封水カップ３６に導入され、さらに、下底部に流水用隙間を形成する翼片によって誘導され、封水カップ３６の湾曲側壁に沿って、上向流で流過して上部の流出スリット５０からオーバーフローして噴出されるといった構成となっている。
【００３６】
また、目皿２８から流入する漏れ水は、案内筒４０の外周を伝って、下端開口から外周を流れる上向流に巻き込み誘引混合され、流出スリット５０からオーバーフローして噴出され、排水トラップ本体２０の接続部４４に連結された排水管ｃに排出される。その際、排水トラップ本体２０内に封水筒３８で構成される空間周辺を中心に強い乱れを伴う反転流を形成することになり、封水筒３８内壁付近の流速は激しく外周方向に誘導され、洗剤等の管壁への付着を防げることができる。
【００３７】
また、管路流の閉塞現象や、ゴミ詰まり現象の発生も押させることもできる。さらに、案内筒４０に消泡用リブが形成されているため、貯留水の泡立ちを防ぎ、目皿２８より逆流噴出することなく、洗濯機用排水トラップ１０を衛生的に使用することができるようになる。
【００３８】
ホースジョイント２２と、案内筒４０との固定用の目皿２８又はパッキンホルダーは、中央に案内筒４０の嵌合孔を有する中空板又は円筒体からなり、旋回操作用のすべり防止の凹凸面を外側に設け、また、目皿２８又は排水トラップ本体２０に設けた凸状係合部或いはネジ部を嵌合させるガイド凹溝又はネジ部が備えられており、排水トラップ本体２０に封水カップ３６及び封水筒３８を嵌入した後、案内筒４０を接続して、ホースジョイント２２の一端開口を連結させ、目皿２８又はパッキンホルダーを装着させれば、封水カップ３６及び封水筒３８からなるトラップ形成体を排水トラップ本体２０内に容易に組み入れセットし、また、分解取り外しが可能となる。
【００３９】
排水トラップ本体２０を洗濯機用防水パン本体１２に備える際には、例えば、横引きの接続部４４のある排水トラップ本体２０では、トラップ機能を果たす案内筒４０と封水筒３８及び封水カップ３６とからなるトラップ形成体を排水トラップ本体２０に挿脱自在に備え、且つ、排水ホース取付用のホースジョイント２２のある目皿２８を着脱自在にねじ込み或いは、嵌合により配設させるようにすることが好ましい。
【００４０】
また、洗濯機用防水パン本体１２の嵌合取付口４２は、目皿２８により覆われていて、これを取り外せば、案内筒４０と封水筒３８及び封水カップ３６とを取り除くことができ、そして、排水管ｃを高圧洗浄等の清掃も容易に行え、さらに、洗濯機排水ホースｂのホースジョイント２２も目皿２８に回転自在に連結して、洗濯機排水ホースｂとの取扱を簡易にすることもできる。
【００４１】
なお、洗濯機排水ホースｂは、必要に応じて蛇腹部を介してホース固定バンドの結束バンド３２によってホースジョイント２２に嵌挿入状態を維持出来るようにしても良く、また、排水トラップ本体２０、封水カップ３６、封水筒３８及び案内筒４０をＡＢＳ樹脂やＰＰ樹脂等の合成樹脂で一体成型させれば、錆びることがなく、清潔性を維持することができ、取扱いが極めて容易なものとなる。
【００４２】
また、洗濯機用防水パン本体１２に排水トラップ本体２０を取り付けるには、床面ａに設けられた排水トラップ本体２０の排水管ｃの管径を確認し、排水トラップ本体２０の接続部４４に排水管ｃを接続固着する。次に、洗濯機用防水パン本体１２に排水トラップ本体２０を固着し、目皿受３０を嵌入し、トラップ機能を果たす封水カップ３６、封水筒３８及び案内筒４０を排水トラップ本体２０に嵌入保持させれば良い。
【００４３】
そして、案内筒４０にホースジョイント２２を挿入接続し、目皿受３０にホースジョイント２２のある目皿２８を定着させ、ホースジョイント２２の他端開口のホース受けパイプに洗濯機排水ホースｂを挿入接続させれば、洗濯機用防水パン１０の施工作業を終えることができる。このような構成によると、洗濯機排水ホースｂから汚水が流れてくると、この汚水は、ホースジョイント２２から案内筒４０、封水筒３８及び封水カップ３６からなるトラップ形成体を経由し、流出スリット５０より排水管ｃに流出することになる。
【００４４】
また、目皿受３０を洗濯機用防水パン本体１２から外し、目皿受３０に嵌合されている目皿２８を外せば、トラップ機能を果たす封水カップ３６、封水筒３８及び案内筒４０からなるトラップ形成体を排水トラップ本体２０から取り出すことができるため、内部の清掃や点検も簡便に行うことができるようになる。なお、本実施形態では、上記の排水トラップ本体の構成としているが、本発明は、これに限定されるものではなく、あくまで一例であることは言うまでもない。
【符号の説明】
【００４５】
１０  洗濯機用防水パン
１２  防水パン本体
１４  台座部
１６  防水壁
１８  排水口
２０  排水トラップ本体
２２  ホースジョイント
２４  各台座部の対向面
２６  窪み部
２８  目皿
３０  目皿受
３２  結束バンド
３４  ホース固定係止部
３６  封水カップ
３８  封水筒
４０  案内筒
４２  嵌合取付口
４４  接続部
４６  シール部材
４８  翼片
５０  流水スリット
５２  外環板
５４  ネジ部
ａ  床面
ｂ  洗濯機排水ホース
ｃ  排水管
【図１】
2013104186.tif 000003
【図２】
2013104186.tif 000004
【図３】
2013104186.tif 000005
【図４】
2013104186.tif 000006